(57)【要約】      （修正有）【課題】施工が容易で、場所をとらず、任意のサイズの滑り摩擦低減滑動プレートを隣接させて組み合わせた免震フロアを提供する。【解決手段】表面滑り摩擦低減平滑プレート２又は表面滑り摩擦低減エンボスプレートを、粘着シート６又は粘着剤を介してコンクリート床材１表面に固定してベースプレート２０とし、該表面滑り摩擦低減平滑プレート２又は該表面滑り摩擦低減エンボスプレート上に、滑り摩擦低減滑動プレート３を載置して免震フロアを形成する。ベースプレート２０と該ベースプレート２０上に載置される滑り摩擦低減滑動プレート３と、更に施工現場で必要となった保護シートとを合わせた場合でも免震フロアの膜厚を５ｍｍ以内に収めることができる。【選択図】図１
0003190646.tif 000002
【実用新案登録請求の範囲】
【請求項１】
表面滑り摩擦低減平滑プレート又は表面滑り摩擦低減エンボスプレートを、粘着シート又は粘着剤を介してコンクリート床材表面に固定してベースプレートとし、該表面滑り摩擦低減平滑プレート又は該表面滑り摩擦低減エンボスプレート上に、滑り摩擦低減滑動プレートを載置したことを特徴とする免震フロア。
【請求項２】
ベースプレートが、裏面に粘着シート又は粘着剤を取り付けた表面滑り摩擦低減平滑プレート又は表面滑り摩擦低減エンボスプレートをコンクリート床材表面に載置し、押圧して形成されていることを特徴とする請求項１記載の免震フロア。
【請求項３】
表面滑り摩擦低減平滑プレート又は表面滑り摩擦低減エンボスプレートが、プラスチック、織布、不織布又は金属の積層体又は単体から構成されていることを特徴とする請求項１記載の免震フロア。
【請求項４】
表面滑り摩擦低減平滑プレート又は表面滑り摩擦低減エンボスプレートの面積を施工現場に適合させて構成し、また、滑り摩擦低減滑動プレートの面積を施工現場に適合させて構成し、該表面滑り摩擦低減平滑プレート又は該表面滑り摩擦低減エンボスプレートどうしの隣接部と該滑り摩擦低減滑動プレートどうしの隣接部との位置をずらした状態に構成したことを特徴とする請求項１記載の免震フロア。
【請求項５】
表面滑り摩擦低減エンボスプレートの裏面に予め両面粘着シートが貼着されていることを特徴とする請求項１記載の免震フロア。
【請求項６】
ベースプレート上に載置される滑り摩擦低減滑動プレートの隣接部表面を高強度粘着シートにて覆工したことを特徴とする請求項１記載の免震フロア。
【考案の詳細な説明】
【技術分野】
【０００１】  本考案は免震フロアに関し、特に表面滑り摩擦低減平滑プレート又は表面滑り摩擦低減エンボスプレートを、粘着シート又は粘着剤を介してコンクリート床材表面に固定してベースプレートとし、該ベースプレート上に滑り摩擦低減滑動プレートを載置したシンプルな構成の免震フロアに関する。
【背景技術】
【０００２】  従来、屋内に静置した機器の筺体等が地震による振動や横揺れによって倒壊することを防ぐために、免震装置が開発されているが、その殆どが建築物や床上の機器に対して、免震効果を有する球体の移動方式や球体の受皿方式のものが多く存在する。
【先行技術文献】
【０００３】
【特許文献１】  特開２００７−２４１２３号公報
【特許文献２】  特許第３０５８３６４号公報
【特許文献３】  特開２０１０−３８２０７号公報
【特許文献４】  特開２００８−７９６１号公報
【考案の概要】
【０００４】
【考案が解決しようとする課題】
【０００５】  前記せる特開２００７−２４１２３号公報では、免震用基盤上に球体を回転自在とする構造であり、また、前記せる特許第３０５８３６４号公報では、電子機器の筺体底部にボルトを螺合させて脚体とし、その先端を曲面とし、凹面状受皿上で滑動させるものであって、これらの構造のものでは、地震時の振幅の滑動範囲が限られており大きな振幅時に対応することができなかった。【０００６】  また、前記せる特開２０１０−３８２０７号公報では、弾性体で構成された免震マットを免震地盤として提供しているものであって、隣接する免震マットを連結して敷設し、構造物の荷重を分散平均化させて免震効果を得るとしたものであった。【０００７】  また、前記せる特開２００８−７９６１号公報では、発泡弾性体とソリッド弾性体（非発泡体）とを積層してパネルを敷設した床仕上材であって、衝撃に対する緩和・吸収性能に優れた安全性が高く、亀裂の発生しない床仕上材として記載されている。【０００８】  しかしながら、前記せる免震マット又はパネル式の引用特許では、単なる緩衝効果であって、免震マット又はパネル自体がスライドするものではないので、屋内に静置した機器の筺体等を地震による振動や横揺れによる倒壊から防ぐことができなかった。
【課題を解決するための手段】
【０００９】  前記せる課題を解決するために、本考案は以下のように構成されている。
表面滑り摩擦低減平滑プレート又は表面滑り摩擦低減エンボスプレートを、粘着シート又は粘着剤を介してコンクリート床材表面に固定してベースプレートとし、該表面滑り摩擦低減平滑プレート又は該表面滑り摩擦低減エンボスプレート上に、滑り摩擦低減滑動プレートを載置したことを特徴とし、ベースプレートが、裏面に粘着シート又は粘着剤を取り付けた表面滑り摩擦低減平滑プレート又は表面滑り摩擦低減エンボスプレートをコンクリート床材表面に載置し、押圧して形成されていることを特徴とし、表面滑り摩擦低減平滑プレート又は表面滑り摩擦低減エンボスプレートが、プラスチック、織布、不織布又は金属の積層体又は単体から構成されていることを特徴とし、表面滑り摩擦低減平滑プレート又は表面滑り摩擦低減エンボスプレートの面積を施工現場に適合させて構成し、また、滑り摩擦低減滑動プレートの面積を施工現場に適合させて構成し、該表面滑り摩擦低減平滑プレート又は該表面滑り摩擦低減エンボスプレートどうしの隣接部と該滑り摩擦低減滑動プレートどうしの隣接部との位置をずらした状態に構成したことを特徴とし、表面滑り摩擦低減エンボスプレートの裏面に予め両面粘着シートが貼着されていることを特徴とし、且つ、ベースプレート上に載置される滑り摩擦低減滑動プレートの隣接部表面を高強度粘着シートにて覆工したことを特徴とする免震フロアを提供する。
【考案の効果】
【００１０】  本考案の免震フロアにおいては、特に表面滑り摩擦低減平滑プレート又は表面滑り摩擦低減エンボスプレートを、粘着シート又は粘着剤を介してコンクリート床材表面に固定してベースプレートとし、該ベースプレート上に滑り摩擦低減滑動プレートを敷設載置したシンプルな構成の免震フロアであって、地震による振動や横揺れによって滑り摩擦低減滑動プレートがベースプレート上を滑動するので、該滑り摩擦低減滑動プレート上に載置された機器の倒壊を防ぐことができる。【００１１】  また、本考案の免震フロアは施工が容易で、場所をとらず、任意のサイズの滑り摩擦低減滑動プレートを隣接させて組み合わせて免震フロアを形成することができる。【００１２】  また、実施例ではベースプレートとベースプレート上を滑動する滑り摩擦低減滑動プレートを合わせた厚さを薄くしているので、段差が少ないので、本考案の免震フロアを施工した倉庫等に外部よりリフト等の作業用車輛が侵入しても支障をきたすことがなく、例え滑り摩擦低減滑動プレート上に載置された機器の筺体が万が一滑り摩擦低減滑動プレートから外れて移動した場合でも、前記せる段差が少ないので、人為的に元に戻すことができる。
【図面の簡単な説明】
【００１３】
【図１】  免震フロアの部分斜視図である。
【図２】  免震フロアの部分分解斜視図である。
【図３】  免震フロアの部分分解斜視図である。
【考案を実施するための形態】
【００１４】  図１に示すように、表面滑り摩擦低減平滑プレート２又は表面滑り摩擦低減エンボスプレート２１を、粘着シート６又は粘着剤を介してコンクリート床材１表面に固定してベースプレート２０とし、該表面滑り摩擦低減平滑プレート２又は該表面滑り摩擦低減エンボスプレート２１上に、滑り摩擦低減滑動プレート３を載置して免震フロアを形成する。
【００１５】  ベースプレート２０と該ベースプレート２０上に載置される滑り摩擦低減滑動プレート３と、更に施工現場で必要となった保護シート（図示せず）とを合わせた場合でも免震フロアの膜厚を５ｍｍ以内に収めることができる。
【００１６】  図１乃至図３に示すように、裏面に粘着シート６又は粘着剤を取り付けた表面滑り摩擦低減平滑プレート２又は表面滑り摩擦低減エンボスプレート２１をコンクリート床材１の表面に載置し、押圧してベースプレート２０が形成される。
【００１７】  図３に示す表面滑り摩擦低減平滑プレート２または表面滑り摩擦低減エンボスプレート２１は、公知のプラスチック、織布、不織布又は金属の積層体又は単体から構成することができる。
【００１８】  表面滑り摩擦低減平滑プレート２又は表面滑り摩擦低減エンボスプレート２１の面積を施工現場に適合させて構成し、また、滑り摩擦低減滑動プレート３の面積を施工現場に適合させて構成し、該表面滑り摩擦低減平滑プレート２又は該表面滑り摩擦低減エンボスプレート２１どうしの隣接部５と該滑り摩擦低減滑動プレート３どうしの隣接部４との位置を図１に示すように間隔  ｌだけずらした状態にして、隣接部５と隣接部４とが重複しないように免震フロア１０を構成する。
【００１９】  図３に示すように、表面滑り摩擦低減エンボスプレート２１の裏面に予め両面粘着シート６が貼着され、該表面滑り摩擦低減エンボスプレート２１をコンクリート床材表面に押圧してベースプレート２０とすることも可能である。
【００２０】  ベースプレート２０上に載置される滑り摩擦低減滑動プレート３の隣接部４の表面を高強度粘着シート７で覆工して免震フロア１０を完成する。
【００２１】  免震フロア１０の上には機器等の筺体８が載置され、地震発生時の振動や横揺れに対応して滑り摩擦低減滑動プレート３が対応方向に移動するので、機器の倒壊が生じることがない。
【００２２】  表面滑り摩擦低減平滑プレート２や滑り摩擦低減滑動プレート３の表面の静止摩擦係数や動摩擦係数を適正に選択するには、公知のプレート素材（図示せず）を選択することで適合させることができる。
【００２３】  すなわち、地震の発生していない場合には滑り摩擦低減滑動プレート３の移動が抑制される静止摩擦係数のプレートを選択することができる。
【００２４】  また、地震発生時の振動や横揺れが前記せる静止摩擦係数を上回る場合は、地震発生時の振動や横揺れが吸収され、滑り摩擦低減滑動プレート３が抑制されずに移動する素材を選択して免震フロアを構成することができる。
【符号の説明】
【００２５】    １  コンクリート床材
１０  免震フロア
２  表面滑り摩擦低減平滑プレート
２０  ベースプレート
２１  表面滑り摩擦低減エンボスプレート
３  滑り摩擦低減滑動プレート
４  滑り摩擦低減滑動プレート隣接部
５  滑り摩擦低減平滑プレート隣接部
６  粘着シート又は粘着剤
７  高強度粘着覆工シート
８  筺体
【図１】
0003190646.tif 000003
【図２】
0003190646.tif 000004
【図３】
0003190646.tif 000005